(57)【要約】【課題】感染症が広がっている範囲をより正確に把握できる方法、装置、システムを提供する。【解決手段】感染症のモニタリング方法は、複数の医療施設１３１，１３２，１３３，１３４から疾患情報を取得することを含む。方法は、疾患情報と、医療施設における疾患発生状況に関する第１基準と、に基づいて、医療施設毎の疾患発生状況を判定することを含む。方法は、第１エリア区分によって区分された第１区域に対応付けられた医療施設における疾患発生状況と、第１区域の疾患発生状況に関する第２基準と、に基づいて、第１区域における疾患発生状況に関する第１エリアアラーム情報を生成することを含む。【選択図】図１Ａ
2017199165.tif 000002
【特許請求の範囲】
【請求項１】
感染症のモニタリング方法であって、
複数の医療施設から疾患情報を取得すること、
前記疾患情報と、医療施設における疾患発生状況に関する第１基準と、に基づいて、医療施設毎の疾患発生状況を判定すること、
第１エリア区分によって区分された第１区域に対応付けられた医療施設における疾患発生状況と、前記第１区域の疾患発生状況に関する第２基準と、に基づいて、前記第１区域における疾患発生状況に関する第１エリアアラーム情報を生成すること
を含むモニタリング方法。
【請求項２】
前第１エリア区分は、地方、都道府県、市区町村、郡、校区、地区から選択される
請求項１に記載のモニタリング方法。
【請求項３】
前記第１エリア区分は、複数種類のエリア区分から選択される
請求項１又は２に記載のモニタリング方法。
【請求項４】
前記第１エリア区分は、疾患種別に基づいて選択される
請求項３に記載のモニタリング方法。
【請求項５】
前記第２基準は、前記第１エリア区分の種類に応じた基準である
請求項３又は４に記載のモニタリング方法。
【請求項６】
前記第１エリアアラーム情報を、前記第１エリア区分の種類に応じた通知方法により通知することを更に含む
請求項３〜５のいずれか１項に記載のモニタリング方法。
【請求項７】
医療施設毎の前記疾患発生状況に基づいて生成された医療施設の施設アラーム情報を通知することを更に含む
請求項１〜６のいずれか１項に記載のモニタリング方法。
【請求項８】
前記第１エリア区分とは異なる種類の第２エリア区分によって区分された第２区域における疾患発生状況と、前記第２区域の疾患発生状況に関する第３基準と、に基づいて、前記第２区域における疾患発生状況に関する第２エリアアラーム情報を生成することを更に含む
請求項１〜７のいずれか１項に記載のモニタリング方法。
【請求項９】
前記第２エリア区分は、疾患種別に基づいて選択される
請求項８に記載のモニタリング方法。
【請求項１０】
前記第３基準は、前記第２エリア区分の種類に応じた基準である
請求項８又は９に記載のモニタリング方法。
【請求項１１】
前記第２エリアアラーム情報を、前記第２エリア区分の種類に応じた通知方法により通知することを更に含む
請求項８〜１０のいずれか１項に記載のモニタリング方法。
【請求項１２】
前記通知の通知先は、医療施設以外の施設を含む
請求項６，７及び１１のいずれか１項に記載のモニタリング方法。
【請求項１３】
前記医療施設の施設アラーム情報を通知することは、複数の前記医療施設が地図上に表示される画面において、前記施設アラーム情報が生成された医療施設を、前記施設アラーム情報が生成されていない医療施設と区別して表示することを含む
請求項７に記載のモニタリング方法。
【請求項１４】
前記第１エリアアラーム情報を通知することは、複数の前記医療施設が地図上に表示される画面において、前記第１エリアアラーム情報が生成された第１区域を、前記第１エリアアラーム情報が生成されていない第１区域と区別して表示することを含む
請求項６に記載のモニタリング方法。
【請求項１５】
前記第２エリアアラーム情報を通知することは、複数の前記医療施設が地図上に表示される画面において、前記第２エリアアラーム情報が生成された第２区域を、前記第１エリアアラーム情報が生成されていない第２区域と区別して表示することを含む
請求項１１に記載のモニタリング方法。
【請求項１６】
前記疾患情報は、疾患種別と、医療施設で行われた検査結果、診断結果及び治療結果の少なくとも一つの結果と、日付と、を含む
請求項１〜１５のいずれか１項に記載のモニタリング方法。
【請求項１７】
感染症をモニタする情報処理装置であって、
複数の医療施設から取得した疾患情報と、医療施設における疾患発生状況に関する第１基準と、に基づいて、医療施設毎の疾患発生状況を判定する第１処理、及び
第１エリア区分によって区分された第１区域に対応付けられた医療施設における疾患発生状況と、前記第１区域の疾患発生状況に関する第２基準と、に基づいて、前記第１区域における疾患発生状況に関する第１エリアアラーム情報を生成する第２処理を実行する情報処理部を備える
情報処理装置。
【請求項１８】
ユーザによる入力に用いられる入力部をさらに備え、
前記第１エリア区分は、前記入力部を介して複数種類のエリア区分から選択される
請求項１７に記載の情報処理装置。
【請求項１９】
前記情報処理部は、前記第１エリア区分を、疾患種別に基づいて複数種類のエリア区分から選択する
請求項１７項に記載の情報処理装置。
【請求項２０】
前記情報処理部は、前記第２基準を、前記第１エリア区分の種類に応じて選択する
請求項１８又は１９に記載の情報処理装置。
【請求項２１】
前記第１エリアアラーム情報を、前記第１エリア区分の種類に応じた通知方法により通知する通知部を更に備える
請求項１８〜２０のいずれか１項に記載の情報処理装置。
【請求項２２】
前記通知部は、医療施設毎の前記疾患発生状況に基づいて生成された医療施設の施設アラーム情報を通知する
請求項２１に記載の情報処理装置。
【請求項２３】
前記情報処理部は、前記第１エリア区分とは異なる種類の第２エリア区分によって区分された第２区域における疾患発生状況と、前記第２区域の疾患発生状況に関する第３基準と、に基づいて、前記第２区域における疾患発生状況に関する第２エリアアラーム情報を生成する第３処理を実行する
請求項１７〜２２のいずれか１項に記載の情報処理装置。
【請求項２４】
前記情報処理部は、前記第２エリア区分を、疾患種別に基づいて選択する
請求項２３に記載の情報処理装置。
【請求項２５】
前記情報処理部は、前記第３基準を、前記第２エリア区分の種類に応じて選択する
請求項２３又は２４に記載の情報処理装置。
【請求項２６】
前記通知部は、複数の前記医療施設が地図上に表示される画面において、前記施設アラーム情報が生成された医療施設を、前記施設アラーム情報が生成されていない医療施設と区別して表示させる処理を実行する
請求項２２に記載の情報処理装置。
【請求項２７】
前記通知部は、複数の前記医療施設が地図上に表示される画面において、前記第１エリアアラーム情報が生成された第１区域を、前記第１エリアアラーム情報が生成されていない第１区域と区別して表示させる処理を実行する
請求項２１に記載の情報処理装置。
【請求項２８】
複数の前記医療施設が地図上に表示される画面において、前記第２エリアアラーム情報が生成された第２区域を、前記第１エリアアラーム情報が生成されていない第２区域と区別して表示させる処理を実行する通知部をさらに備える
請求項２３に記載の情報処理装置。
【請求項２９】
前記疾患情報は、疾患種別と、医療施設で行われた検査結果、診断結果及び治療結果の少なくとも一つの結果と、日付と、を含む
請求項１７〜２８のいずれか１項に記載の情報処理装置。
【請求項３０】
コンピュータに、
複数の医療施設から取得した疾患情報と、医療施設における疾患発生状況に関する第１基準と、に基づいて、医療施設毎の疾患発生状況を判定する第１処理、及び
第１エリア区分によって区分された第１区域に対応付けられた医療施設における疾患発生状況と、前記第１区域の疾患発生状況に関する第２基準と、に基づいて、前記第１区域における疾患発生状況に関する第１エリアアラーム情報を生成する第２処理
を実行させるためのコンピュータプログラム
【請求項３１】
感染症をモニタする情報処理システムであって、
複数の医療施設から取得した疾患情報と、医療施設における疾患発生状況に関する第１基準と、に基づいて、医療施設毎の疾患発生状況を判定する第１処理、及び
第１エリア区分によって区分された第１区域に対応付けられた医療施設における疾患発生状況と、前記第１区域の疾患発生状況に関する第２基準と、に基づいて、前記第１区域における疾患発生状況に関する第１エリアアラーム情報を生成する第２処理を実行する第１情報処理装置と、
前記第１情報処理装置とは別の第２情報処理装置であって、前記第１情報処理装置から提供された前記第１エリアアラーム情報を、前記第１エリア区分の種類に応じた通知方法により通知する処理を実行する第２情報処理装置と、
を備える情報処理システム。
【請求項３２】
前記第１情報処理装置により生成される第１エリアアラーム情報は、個人情報を含み、
前記第１情報処理装置は、前記個人情報を除いた前記第１エリアアラーム情報を、前記第２情報処理装置に提供する処理と、個人情報を含む前記第１エリアアラーム情報を医療施設に通知する処理と、を実行し、
前記第２情報処理装置は、個人情報を含まない前記第１エリアアラーム情報を医療施設以外の施設に通知する
請求項３１に記載の情報処理システム。
【発明の詳細な説明】
【技術分野】
【０００１】
本発明は、モニタリング方法、情報処理装置、情報処理システム、及びコンピュータプログラムに関するものである。
【背景技術】
【０００２】
特許文献１は、サーバコンピュータが、複数の医療機関のそれぞれから患者の感染症に関する情報を集計し、対象感染症についての感染症公開情報を作成し、閲覧要求があった医療機関のコンピュータおよび周辺住民の個人用情報端末に感染症公開情報を送信する感染症情報公開システムを開示している。このシステムは、都道府県別又は市町村別に区分けされた地図を表示し、対象感染症の患者発生数を各区域に表示し、患者発生数が所定の数を超えている区域の背景色を他の区域と異なる色で表示する。
【先行技術文献】
【特許文献】
【０００３】
【特許文献１】特開２００７−２００１０７号公報
【発明の概要】
【発明が解決しようとする課題】
【０００４】
しかしながら、特許文献１のシステムでは、区域内の患者発生数が所定の数を超えているか否かのみに応じて各区域の背景色が決まるため、特定の医療機関のみに患者発生数が集中している場合であっても、その医療機関が位置する区域全体が感染症発生エリアとして表示される。そのため、対象感染症が広がっている範囲を正確に把握することが困難な場合がある。
【０００５】
感染症が広がっている範囲をより正確に把握できることが望まれる。
【課題を解決するための手段】
【０００６】
本発明の一の態様は、感染症のモニタリング方法である。実施形態のモニタリング方法は、複数の医療施設から疾患情報を取得することを含む。モニタリング方法は、疾患情報と、医療施設における疾患発生状況に関する第１基準と、に基づいて、医療施設毎の疾患発生状況を判定することを含む。
【０００７】
モニタリング方法は、第１区域における疾患発生状況に関する第１エリアアラーム情報を生成することを含む。第１区域は、第１エリア区分によって区分された区域である。第１エリアアラーム情報は、第１区域に対応付けられた医療施設における疾患発生状況と、第１区域の疾患発生状況に関する第２基準と、に基づいて生成される。
【０００８】
本発明の他の態様は、感染症をモニタする情報処理装置である。実施形態の情報処理装置は、情報処理部を備える。情報処理部は、複数の医療施設から取得した疾患情報と、医療施設における疾患発生状況に関する第１基準と、に基づいて、医療施設毎の疾患発生状況を判定する第１処理を実行する。情報処理部は、第１エリア区分によって区分された第１区域に対応付けられた医療施設における疾患発生状況と、第１区域の疾患発生状況に関する第２基準と、に基づいて、第１区域における疾患発生状況に関する第１エリアアラーム情報を生成する第２処理を実行する。
【０００９】
本発明の他の態様は、感染症情報をモニタする情報処理システムである。実施形態のシステムは、第１情報処理装置と第２情報処理装置とを備える。第１情報処理装置は、複数の医療施設から取得した疾患情報と、医療施設における疾患発生状況に関する第１基準と、に基づいて、医療施設毎の疾患発生状況を判定する第１処理を実行する。第１情報処理装置は、第１エリア区分によって区分された第１区域に対応付けられた医療施設における疾患発生状況と、第１区域の疾患発生状況に関する第２基準と、に基づいて、第１区域における疾患発生状況に関する第１エリアアラーム情報を生成する第２処理を実行する。
【００１０】
第２情報処理装置は、前記第１情報処理装置とは別の情報処理装置である。第２情報処理装置は、第１情報処理装置から提供された第１エリアアラーム情報を、第１エリア区分の種類に応じた通知方法により通知する処理を実行する。
【００１１】
本発明の他の態様は、コンピュータに処理を実行させるためのコンピュータプログラムである。コンピュータプログラムは、コンピュータを、情報処理装置として機能させる。コンピュータプログラムは、例えば、コンピュータ読み取り可能な記憶媒体に記憶される。
【発明の効果】
【００１２】
本発明によれば、感染症が発生している医療施設に対応付けられた区域に対してアラーム情報が生成されるため、感染症が広がっている範囲をより正確に把握することができる。
【図面の簡単な説明】
【００１３】
【図１Ａ】情報処理装置と医療施設コンピュータのブロック図である。
【図１Ｂ】情報処理装置を含むネットワークシステムの構成図である。
【図１Ｃ】情報処理装置の変形例を示すブロック図である。
【図１Ｄ】疾患テーブルの構造図である。
【図１Ｅ】エリア区分による区域設定データの構造図である。
【図１Ｆ】医療施設データの構造図である。
【図１Ｇ】医療施設以外の施設データの構造である。
【図２Ａ】疾患情報取得と集計処理のフローチャートである。
【図２Ｂ】集計情報の例を示す図である。
【図２Ｃ】集計情報の例を示す図である。
【図３Ａ】施設アラーム生成処理のフローチャートである。
【図３Ｂ】小エリアアラーム生成処理のフローチャートである。
【図３Ｃ】大エリアアラーム生成処理のフローチャートである。
【図４Ａ】インフルエンザのための施設アラーム生成処理のフローチャートである。
【図４Ｂ】インフルエンザのための小エリアアラーム生成処理のフローチャートである。
【図４Ｃ】インフルエンザのための大エリアアラーム生成処理のフローチャートである。
【図５Ａ】施設アラーム情報の画面表示例を示す図である。
【図５Ｂ】小エリアアラーム情報の画面表示例を示す図である。
【図５Ｃ】小エリアアラーム情報の画面表示例を示す図である。
【図５Ｄ】大エリアアラーム情報の画面表示例を示す図である。
【図５Ｅ】大エリアアラーム情報の画面表示例を示す図である。
【図６Ａ】風疹のための施設アラーム生成処理のフローチャートである。
【図６Ｂ】風疹のための小エリアアラーム生成処理のフローチャートである。
【図７Ａ】デング熱のための施設アラーム生成処理のフローチャートである。
【図７Ｂ】デング熱のための小エリアアラーム生成処理のフローチャートである。
【図７Ｃ】デング熱のための大エリアアラーム生成処理のフローチャートである。
【図８Ａ】薬剤耐性菌のための施設アラーム生成処理のフローチャートである。
【図８Ｂ】薬剤耐性菌のための小エリアアラーム生成処理のフローチャートである。
【図８Ｃ】薬剤耐性菌のための大エリアアラーム生成処理のフローチャートである。
【発明を実施するための形態】
【００１４】
［１．情報処理装置］
図１Ａに示す情報処理装置１０は、医療施設１３１，１３２，１３３，１３４から取得した疾患情報をモニタする。図１Ｂに示すように、情報処理装置１０は、例えば、データセンタ１０１に設置される。情報処理装置１０は、コンピュータネットワークを介して、複数の医療施設１３１，１３２，１３３，１３４に設置されたコンピュータ３１，３２，３３，３４に接続される。情報処理装置１０は、コンピュータネットワークを介して、医療施設以外の施設１２１，１２２，１２３に設置されたコンピュータ２１，２２，２３にも接続される。
【００１５】
医療施設１３１，１３２，１３３，１３３は、疾患の検査、診断、又は治療が行われる施設であり、例えば、病院又は診療所である。医療施設以外の施設は、例えば、学校１２１、老人ホーム１２２、保健所などの行政機関１２３である。
【００１６】
図１Ａに示すように、医療施設１３１のコンピュータ３１は、疾患情報が入力される情報入力部３１ａと、疾患情報を情報処理装置１０へ出力する情報出力部３１ｂとしての機能を有する。他の医療施設１３２，１３３，１３４のコンピュータ３２，３３，３４についても同様である。
【００１７】
各医療施設は、検査、診断及び治療の少なくとも一つを行い、疾患情報を生成する。検査、診断又は治療は、医療従事者によって行われても良いし、分析機器によって行われても良い
【００１８】
疾患情報は、疾患に関連した情報であり、疾患の発生状況を判定するために用いられる。疾患情報は、例えば、検査結果を示す検査情報、診断結果を示す診断情報、又は治療結果を示す治療情報である。疾患情報は、例えば、患者氏名、患者ＩＤ、疾患種別、結果（検査結果／診断結果／治療結果など）、及び日付（検査日／診断日／治療日など）を含む。後述する疾患発生状況の判定のため、疾患情報は、少なくとも、疾患種別、結果、及び日付を含むのが好ましい。患者ＩＤは、医療分野において個人を識別するための医療等ＩＤであってもよい。
【００１９】
疾患は、例えば、感染性の疾患である。感染性の疾患種別としては、例えば、インフルエンザ、風疹、はしか、感染性胃腸炎、ウィルス性肝炎、マイコプラズマ肺炎、ＲＳウィルス感染症、細菌性髄膜炎、水痘（水疱瘡）、デング熱、及びジカ熱がある。
【００２０】
情報入力部３１ａは、生成された疾患情報の入力を受け付ける。情報出力部３１ｂは、入力された疾患情報を、データセンタ１０１の情報処理装置１０へ、リアルタイムで送信する。コンピュータ３１は、疾患情報が示す結果が陽性であるか陰性であるかに係わらず、疾患情報を情報処理装置１０へ送信する。
【００２１】
情報処理装置１０は、医療施設のコンピュータ３１，３２，３３，３４から、ネットワークを介して、疾患情報を取得する。情報処理装置１０は、医療施設から情報を取得し、感染症が広がっている施設、エリアを示すアラーム情報などの情報を医療施設及び医療施設以外の施設に提供するサーバとして機能する。情報処理装置１０は、コンピュータプログラムを実行するコンピュータであり、ＣＰＵ、記憶装置等を備えている。情報処理装置１０は、ユーザによるデータの入力作業、選択作業等に用いられるマウス、キーボード等の入力装置も備えている。コンピュータプログラムは、コンピュータの記憶装置に記憶される。コンピュータは、記憶装置に記憶されたコンピュータプログラムを読み取って実行し、情報の取得及び提供のための機能を発揮する。
【００２２】
図１Ａに示すように、情報処理装置１０は、情報取得部５１としての機能を有する。情報取得部５１は、各医療施設から出力された疾患情報を取得する。情報処理装置１０には複数の医療施設のコンピュータが接続されているため、複数の医療施設からの疾患情報が情報処理装置１０に集約される。情報取得部１０は、取得した疾患情報を、記憶装置６０に格納する。
【００２３】
情報処理装置１０は、集計処理部５３としての機能を有する。集計処理部５３は、記憶装置６０に格納された疾患情報に対する集計処理を行う。集計処理は、少なくとも、医療施設毎に疾患種別に応じて疾患情報を集計する処理を含むのが好ましい。集計処理は、例えば、疾患情報の平均値を求める処理又は標準偏差を求める統計処理を含んでいても良い。以下では、集計処理が施された疾患情報を集計情報ともいう。集計処理部５３は、集計情報を、記憶装置６０に格納する。疾患情報は、リアルタイムで送信されるため、集計情報も時々刻々と変化する。
【００２４】
情報処理装置１０は、アラーム情報を生成する情報処理部５５としての機能を有する。情報処理部５５は、記憶装置６０に格納された集計情報に基づく処理を行う。情報処理部５５は、時々刻々と変化する集計情報をモニタし、必要に応じてアラーム情報を生成する。情報処理部５５によって生成されるアラーム情報は、例えば、後述の施設アラーム情報、小エリアアラーム情報、又は大エリアアラーム情報である。
【００２５】
情報処理装置１０は、通知部５７としての機能を有する。通知部５３は、アラーム情報を通知する処理をする。アラーム情報の通知方法は、情報処理部５５から指定された方法に従う。アラーム情報の通知先は、医療施設１３１，１３２，１３３，１３４のコンピュータ３１，３２，３３，３４であってもよいし、医療施設以外の施設１２１，１２２，１２３，１２４のコンピュータ２１，２２，２３，２４であってもよい。
【００２６】
情報処理装置１０は、設定部５９としての機能を有する。設定部５９は、記憶装置６０に記憶される各種データ６１，６３，６５，６７を、ユーザ入力に基づき設定する。ユーザは、例えば、センター１０１におけるシステム管理者である。データ６１，６３，６５，６７の設定は、情報処理装置１０の運用開始前に行われる。情報処理装置１０の運用開始後においても、適宜、データ６１，６３，６５，６７を変更することで、モニタ方法及びアラーム情報の通知方法を柔軟に変更できる。
【００２７】
図１Ｃは、第１情報処理装置１０ａと第２情報処理装置１０ｂとを含む情報処理システム１００がデータセンタ１０１に設置された例を示している。第１情報処理装置１０ａは、医療施設から情報を取得し、アラーム情報などの情報を医療施設に提供するサーバとして機能する。第２情報処理装置１０ｂは、アラーム情報を医療施設以外の施設に提供するサーバとして機能する。各情報処理装置１０ａ，１０ｂは、コンピュータプログラムを実行するコンピュータである。コンピュータプログラムは、コンピュータの記憶装置に記憶される。コンピュータは、記憶装置に記憶されたコンピュータプログラムを読み取って実行し、情報の取得又は提供のための機能を発揮する。
【００２８】
疾患情報を含む医療関連データは、患者氏名など個人情報などの取扱いに注意を要する情報を含むことが多い。実施形態の情報処理システム１００では、個人情報などを保護するため、医療施設に通知を行う通知部５７と、医療施設以外の施設に通知を行う通知部７７と、が分けられている。
【００２９】
第１情報処理装置１０ａの情報取得部５１、集計処理部５３及び情報処理部５５の機能は、図１Ａの情報処理装置１０における各部５１，５３，５５と同じ機能を有している。ただし、第１情報処理装置１０ａの情報処理部５５は、生成したアラーム情報のうち、医療施設に通知すべきアラーム情報を通知部５７に与える。医療施設に通知されるアラーム情報は、個人情報を含んでいてもよい。通知部５７は、アラーム情報を医療施設に通知する。
【００３０】
情報処理部５５は、アラーム情報を第２情報処理装置１０ｂに与える。第２情報処理装置１０ｂに与えられるアラーム情報は、医療施設以外の施設に通知すべきアラーム情報である。情報処理部５５は、アラーム情報に含まれる個人情報を除去してから、そのアラーム情報を情報取得部７５に与える。情報取得部７５は、アラーム情報を取得する。取得されたアラーム情報は、通知部７７によって医療施設以外の施設１２１，１２２，１２３，１２４に通知される。第２情報処理装置１０ｂは、医療施設以外の施設へアラーム情報を通知するが、個人情報を扱わないため、個人情報が保護される。以下では、図１Ａの情報処理装置１０を前提に説明する。
【００３１】
［２．疾患情報の取得と集計処理］
図２Ａは、疾患情報の取得から集計情報生成までの処理手順を示している。図２Ａの処理は、情報処理装置１０によって実行される。ステップＳ１において、情報取得部５１は、医療施設のコンピュータから疾患情報を取得する。この時点での情報取得は、検査、診断又は治療の結果に関わらず行われる。ステップＳ２において、集計処理部５３は、疾患情報に含まれる疾患種別に応じて、疾患情報を分類する。ステップＳ３において、集計処理部５３は、医療施設毎に、疾患種別に応じた集計情報を生成する。ステップＳ３では、平均値・標準偏差などを求める統計処理が行われても良い。
【００３２】
集計情報は、例えば、図２Ｂに示すように分類された情報である。図２Ｂでは、集計情報は、医療施設、疾患種別、検査結果、検査日を含む。図２Ｂでは、医療施設毎に、疾患種別に応じて、疾患情報が集計されている。集計情報は、図２Ｃに示すように分類された情報であってもよい。図２Ｃでは、集計情報は、医療施設、患者ＩＤ、菌種、薬剤、投薬日、投薬量、検査日、検査結果を含む。図２Ｃでは、医療施設毎に、菌種に応じて集計情報が集計されている。感染症は、病原体である菌によって分類できるため、菌種は、感染性の疾患の種別を示す。
【００３３】
［３．医療施設アラーム］
図３Ａは、施設アラーム生成処理５５ａを示している。施設アラーム生成処理５５ａは、医療施設毎にアラーム情報を生成する処理である。医療施設毎のアラーム情報を施設アラーム情報という。
【００３４】
ステップＳ４において、情報処理部５５は、集計処理が施された疾患情報である集計情報をモニタする。このモニタは、集計処理が施された疾患情報に基づき、疾患の発生状況をモニタするための基準に基づいて行われる。この基準をモニタ基準という。モニタ基準は、疾患種別に応じて予め記憶装置６０に設定されている。
【００３５】
図１Ｄに示すように、モニタ基準６１ｂは、疾患種別毎の設定情報を示す疾患テーブル６１において、疾患種別６１ａと対応付けて設定されている。モニタ基準６１ｂは、例えば、「各医療施設で、直近の期間Ｙ日間に発生した疾患Ｘの件数を求める」というものである。疾患の発生数は、例えば、陽性と判定された数、測定値が閾値を超える数である。疾患発生状況のモニタは、各医療施設について行われる。
【００３６】
ステップＳ５において、情報処理部５５は、医療施設毎の疾患発生状況が、判定基準を満たすか否かの判定をする。この判定基準を施設アラーム基準という。施設アラーム基準は、医療施設の疾患発生状況がアラームの必要な状況にあるか否かの判定に用いられる。施設アラーム基準は、疾患種別に応じて予め記憶装置６０に設定されている。
【００３７】
図１Ｄに示すように、施設アラーム基準６１ｃは、疾患テーブル６１において、疾患種別６１ａと対応付けて設定されている。施設アラーム基準は、例えば、所定期間内における疾患の発生数についての基準値である。
【００３８】
ステップＳ５において、医療施設毎の疾患発生状況が施設アラーム基準を満たすと判定されると、ステップＳ６において、情報処理部５５は、疾患発生状況が施設アラーム基準を満たした医療施設についてアラームフラグを生成する。アラームフラグは、疾患発生状況が施設アラーム基準を満たしていることを示す。
【００３９】
ステップＳ７において、情報処理部５５は、各医療施設の疾患発生状況に基づいて、施設アラーム情報の通知の要否を判定する。施設アラーム情報は、疾患の発生状況が施設アラーム基準を満たしている医療施設を示す情報である。すなわち、施設アラーム情報は、当該施設内で感染症が広がっていることを示す情報である。施設アラーム情報は、情報処理部５５によって、アラームフラグに基づいて生成される。施設アラーム情報の通知の要否は、予め記憶装置６０に設定された通知条件に基づいて判定される。
【００４０】
図１Ｄに示すように、通知条件６１ｅは、疾患テーブル６１において、疾患種別６１ａと対応付けて設定されている。通知条件６１ｅは、施設アラーム情報を通知するための条件を示す。通知条件６１ｅとしては、例えば、施設アラーム情報の通知の要否が設定される。
【００４１】
通知条件６１ｅに基づき、施設アラーム情報の通知が要であると判定された場合、通知部５７は、ステップＳ８において施設アラーム情報を通知する。施設アラーム情報の通知は、予め記憶装置６０に設定された通知方法により行われる。図１Ｄに示すように、通知方法６１ｆは、疾患テーブル６１において、疾患種別６１ａと対応付けて設定されている。通知方法６１ｆは、施設アラーム情報の通知方法１６８の他、後述の小エリアアラーム情報の通知方法１６９及び大エリアアラーム情報の通知方法１７０を含む。通知方法１６８，１６９，１７０は、アラーム情報の種類毎に設定されている。
【００４２】
通知方法１６８として設定される項目としては、例えば、通知手段、通知の種類、通知先がある。通知手段は、例えば、メールによる配信、Ｗｅｂでの表示、ＳＮＳによる配信である。通知の種類は、例えば、連絡・報告としての通知、表示による通知、注意報を伴う通知、警報を伴う通知である。通知先は、例えば、医療施設、学校、老人ホーム、ケアハウス、保健所等の行政機関である。通知先に、医療施設以外の施設が含まれることで、モニタ結果を医療施設以外の施設でも有効に活用できる。なお、通知方法１６９，１７０として設定される項目も、通知方法１６８と同様である。
【００４３】
実施形態において、施設アラーム情報の通知方法１６８は、アラームの発生した医療施設にかかわらず設定できる。したがって、施設アラーム情報が必要とされる通知先を柔軟に設定できる。
【００４４】
［４．小エリアアラーム］
図３Ｂは、小エリアアラーム生成処理５５ｂを示している。小エリアアラーム生成処理５５ｂは、小エリア区分によって区分される小区域毎にアラーム情報を生成する処理である。小区域毎のアラーム情報を小エリアアラーム情報という。
【００４５】
ステップＳ９において、情報処理部５５は、小エリア区分となるエリア区分を選択する。エリア区分とは、情報処理装置１０による管轄エリア内を一定の基準に従って分けた区域を意味する。本実施形態では、区域の分け方の基準が異なる複数種類のエリア区分が予め設定されている。小エリア区分として、複数種類のエリア区分から選択できるため、システムとして柔軟性が高い。しかも、本実施形態では、エリア区分による区域設定データ６３を設定変更することで、複数種類のエリア区分自体を変更することもできる。
【００４６】
管轄エリアが、例えば、１つの県であれば、その県内のエリアは、例えば、校区単位で区分することもできるし、市区町村単位で区分することもできる。ここでは、エリア区分を、区分される区域の単位の名称で表す。エリア区分としては、校区及び市区町村の他、都道府県、地方、医療圏でもよい。多くの種類のエリア区分が設定されているほど、小エリア区分の選択肢が多くなり、システムの柔軟性が高まる。
【００４７】
ここで、市区町村、都道府県は、日本の行政区画に基づくエリア区分の種類であり、エリア区分の基になる行政区画は、国によって適宜変更される。たとえば米国で本発明が実施される場合には、行政区画に基づくエリア区分としては、州、地区、郡、独立市を用いてもよい。中国で本発明が実施される場合には、省、自治区、直轄市、特別行政区、省轄市などを用いてもよい。地方とは、例えば、複数の都道府県を含む範囲である。医療圏とは、医療提供のために設定された単位であり、市町村単位であってもよいし、複数の市町村からなるエリアであってもよいし、都道府県単位であってもよい。
【００４８】
エリア区分は、特定の施設近傍エリア単位であってもよい。特定の施設とは、例えば、産婦人科又は老人ホームである。特定の施設は、施設利用者に感染弱者が含まれる施設が好ましい。感染弱者は、例えば、感染症に感染する可能性が高い人、感染した場合に重症化する可能性が高い人、又は、感染による何らかの影響を受ける可能性が高い人である。感染弱者は、例えば、老人、妊婦、子供である。
【００４９】
小エリア区分は、予め設定された複数種類のエリア区分から、例えば疾患種別に基づいて選択される。疾患種別による小エリア区分の選択は、例えば、図１Ｄに示す疾患テーブル６１を用いて行われる。
【００５０】
図１Ｄに示す疾患テーブル６１では、疾患種別６１ａとエリア区分６１ｄとが対応付けられている。エリア区分６１には、小エリア区分１６１と大エリア区分１６３とが含まれる。大エリア区分１６３は、後述の大エリアアラーム情報の生成に用いられる。大エリア区分により区分される区域は、小エリア区分により区分される区域よりも広域であるのが好ましい。
【００５１】
図１Ｄにおいて、例えば疾患種別６１ａ「インフルエンザ」には、小エリア区分１６１として校区が対応付けられ、大エリア区分１６３として市区町村が対応付けられている。情報処理部５５は、モニタ対象の疾患がインフルエンザであれば、疾患テーブル６１を参照し、小エリア区分として校区を選択し、大エリア区分として市区町村を選択する。他の疾患（風疹、デング熱、薬剤耐性感染症）についても同様である。
【００５２】
ステップＳ１０において、情報処理部５５は、医療施設における疾患発生状況を示すアラームフラグをモニタする。このモニタでは、モニタ対象の疾患について、アラームフラグが立てられた医療施設の数が、小エリア区分によって区分された区域毎に求められる。小エリア区分として選択されたエリア区域により区分された区域を小区域という。
【００５３】
図１Ｅに示すように、区域と医療施設との対応付けは、エリア区分による区域設定データ６３として予め記憶装置６０に設定されている。区域設定データ６３は、エリア区分の種類６３ａと、区域定義データ６３ｂとを含む。区域定義データ６３は、区域名６３ｃと、区域名６３ｃに対応付けられた医療施設６３ｄと、区域名６３ｃに対応付けられた区域の範囲６３ｅと、を含む。図１Ｅにおいて、エリア区分６３ａ「校区」には、校区（Ａ），校区（Ｂ）などの複数の区域６３ｃが設定されている。区域としての各校区（Ａ）（Ｂ）には、それぞれ、医療施設（ａ）（ｂ）（ｃ）（ｄ）などの１又は複数の医療施設６３ｄが対応付けられている。情報処理部５５は、区域名６３ｃに対応付けられた医療施設６３ｄを、その区域内にある医療施設として認識する。
【００５４】
実施形態においては、校区又は行政区画に基づくエリア区分の場合、図１Ｅに示すように、区域は、その区域内に属する医療施設６３ｄによって定義される。一方、エリア区分が、「産婦人科近傍」又は「老人ホーム近傍」のように、「特定の施設近傍エリア」である場合には、図１Ｅに示すように、区域は、区域の範囲６３ｅによって定義される。区域の範囲は、例えば、特定の施設からの距離で定義される。産婦人科近傍エリアは、例えば、「産婦人科から５００ｍ以内」と定義され、老人ホーム近傍エリアは「老人ホームから５００ｍ以内」と定義される。情報処理部５５は、特定の施設の位置情報及び医療施設の位置情報を参照し、区域の範囲６３ｅでの定義に該当する医療施設を、その区域内にある医療施設として認識する。
【００５５】
医療施設の位置情報は、図１Ｆに示す医療施設データ６５として予め記憶装置６０に設定されている。医療施設データ６５は、医療施設６５ａと、診療科６５ｂと、位置情報６５ｃと、を有する。診療科６５ｂは、医療施設６５ａの診療科を示し、位置情報６５ｃは医療施設６５ａの位置を示す。
【００５６】
医療施設以外の施設の位置情報は、図１Ｇに示す施設データ６７として予め記憶装置６０に設定されている。施設データ６７は、医療施設以外の施設６７ａと、種類６７ｂと、位置情報６７ｃと、を有する。種類６７は、施設６７ａの種類であり、例えば、老人ホーム又は学校である。位置情報６７ｃは、施設６７ａの位置を示す。
【００５７】
医療施設が特定の施設（産婦人科、老人ホームなど）であるか否かは、診療科６５ｂ又は種類６７ｂに基づいて認識される。
【００５８】
ステップＳ１０では、小区域が例えば校区であれば、校区毎に、アラームフラグが立っている医療施設の数がモニタされる。小区域が例えば産婦人科近傍であれば、産婦人科を持つ医療施設毎に、産婦人科から５００ｍ以内においてアラームフラグが立っている医療施設の数がモニタされる。
【００５９】
ステップＳ１１において、情報処理部５５は、小エリア区分によって区分された小区域毎の疾患発生状況が、判定基準を満たすか否かの判定をする。この判定基準を小エリアアラーム基準という。小エリアアラーム基準は、小区域における疾患発生状況がアラームの必要な状況にあるか否かの判定に用いられる。小エリアアラーム基準は、疾患種別に応じて予め記憶装置６０に設置されている。
【００６０】
図１Ｄに示すように、小エリアアラーム基準１６２は、疾患種別６１ａ毎に、小エリア区分１６１に対応付けて設定されている。小エリアアラーム基準１６２は、例えば、所定期間内における、アラームフラグが立っている小区域内の医療施設数についての基準値である。小エリアアラーム基準１６２は、小エリア区分１６１に対応付けられて、小エリア区分毎に設定されるため、小エリア区分１６１の種類に応じた基準となっている。
【００６１】
ステップＳ１１において、小区域毎の疾患発生状況が小エリアアラーム基準を満たすと判定されると、ステップＳ１２において、情報処理部５５は、疾患発生状況が小エリアアラーム基準を満たした小区域について小エリアアラーム情報を生成する。小エリアアラーム情報は、小区域において感染症が広がっていることを示す情報であり、該当する小区域において疾患の予防・対策のために有用である。
【００６２】
ステップＳ１３において、通知部５７は、小エリアアラーム情報を通知する。小エリアアラーム情報の通知は、予め設定された通知方法により行われる。図１Ｄに示すように、疾患テーブル６１において、小エリアアラーム情報の通知方法１６９は、疾患種別６１ａと対応付けられている他、小エリア区分１６１とも対応付けられている。通知方法１６９は、小エリア区分１６１毎に設定されるため、通知方法１６９は、小エリア区分１６１の種類に応じた通知方法となっている。通知方法１６９として設定される項目は、通知方法１６８と同様である。
【００６３】
実施形態において、小エリアアラーム情報の通知方法１６９は、小エリア区分１６１とは別に設定できるため、通知方法１６９において設定される通知先の設定は、小エリア区分１６１による区域にかかわらず行える。したがって、小エリアアラーム情報が必要とされる通知先を柔軟に設定できる。
【００６４】
［５．大エリアアラーム］
図３Ｃは、大エリアアラーム生成処理５５ｃを示している。大エリアアラーム生成処理５５ｃは、大エリア区分によって区分される大区域毎にアラーム情報を生成する処理である。大区域毎のアラーム情報を小エリアアラーム情報という。
【００６５】
ステップＳ１４において、情報処理部５５は、大エリア区分となるエリア区分を選択する。大エリア区分は、図１Ｅに示すように予め設定された複数種類のエリア区分から、例えば、疾患種別に基づいて選択される。疾患種別による大エリア区分の選択は、例えば、疾患テーブル６１を用いて行われる。大エリア区分は、小エリア区分とは異なる種類のエリア区分として選択される。大エリア区分も複数種類のエリア区分から選択されるためシステムの柔軟性が高い。
【００６６】
図１Ｄにおいて、例えば疾患種別６１ａ「インフルエンザ」には、大エリア区分１６３として市区町村が対応付けられている。情報処理部５５は、モニタ対象の疾患がインフルエンザであれば、テーブル６１を参照し、大エリア区分として市区町村を選択する。
【００６７】
ステップＳ１５において、情報処理部５５は、小区域における疾患発生状況を示す小エリアアラーム情報をモニタする。このモニタでは、モニタ対象の疾患について、小エリアアラーム情報の数が、大エリア区分によって区分された区域毎に求められる。大エリア区分として選択されたエリア区域により区分された区域を大区域という。
【００６８】
例えば、市区町村は、複数の校区を含む。小区域が校区であり、大区域が市区町村である場合において、ある市内の２つの校区において小エリアアラーム情報が発生すると、その市における小エリアアラーム情報の数は、２となる。なお、各疾患種別において、大区域に対応する１又は複数の小区域は対応付けられている。
【００６９】
ステップＳ１６において、情報処理部５５は、大エリア区分によって区分された大区域毎の疾患発生状況が、判定基準を満たすか否かの判定をする。この判定基準を大エリアアラーム基準という。大エリアアラーム基準は、大区域における疾患発生状況がアラームの必要な状況にあるか否かの判定に用いられる。大エリアアラーム基準は、疾患種別に応じて予め記憶装置６０に設置されている。
【００７０】
図１Ｄに示すように、大エリアアラーム基準１６４は、疾患種別６１ａ毎に、大エリア区分１６３に対応付けて設定されている。大エリアアラーム基準１６４は、例えば、所定期間内において発生した、大区域内における小エリアアラーム情報数の基準値である。小エリアアラーム基準１６２は、大エリア区分１６３に対応付けられて、大エリア区分毎に設定されるため、大エリア区分１６３の種類に応じた基準となっている。
【００７１】
ステップＳ１６において、大区域毎の疾患発生状況が大エリアアラーム基準を満たすと判定されると、ステップＳ１７において、情報処理部５５は、疾患発生状況が大エリアアラーム基準を満たした大区域について大エリアアラーム情報を生成する。大エリアアラーム情報は、大区域において感染症が広がっていることを示す情報であり、該当する大区域において疾患の予防・対策のために有用である。
【００７２】
ステップＳ１８において、通知部５７は、大エリアアラーム情報を通知する。大エリアアラーム情報の通知は、予め設定された通知方法により行われる。図１Ｄに示すように、疾患テーブル６１において、大エリアアラーム情報の通知方法１７０は、疾患種別６１ａと対応付けられている他、大エリア区分１６３とも対応付けられている。通知方法１７０は、大エリア区分１６３毎に設定されるため、通知方法１７０は、大エリア区分１６３の種類に応じた通知方法となっている。通知方法１７０として設定される項目は、通知方法１６８と同様である。
【００７３】
実施形態において、大エリアアラーム情報の通知方法１７０は、大エリア区分１６３とは別に設定できるため、通知方法１７０において設定される通知先の設定は、大エリア区分１６３による区域にかかわらず行える。したがって、大エリアアラーム情報が必要とされる通知先を柔軟に設定できる。
【００７４】
［６．複数の疾患のモニタリング］
情報処理部５５は、並行して複数の疾患のモニタリングを行って、疾患毎にアラーム情報を生成する。以下では、インフルエンザ、風疹、デング熱、及び薬剤耐性菌感染症を例に、アラーム情報生成処理の具体例を説明する。
【００７５】
［６．１  インフルエンザ］
［６．１．１  インフルエンザの施設アラーム］
図４Ａは、インフルエンザのための施設アラーム生成処理５５ａを示している。ステップＳ１０４は、図３Ａのステップ４に対応する。情報処理部５５は、モニタ対象の疾患種別がインフルエンザであることに基づいて、図１Ｄの疾患テーブル６１を参照し、疾患種別６１ａ「インフルエンザ」に対応するモニタ基準６１ｂとして基準（Ａ）を取得する。ステップＳ１０４において、情報処理部５５は、取得した基準（Ａ）に基づいて、各医療施設の集計情報をモニタする。基準（Ａ）は、例えば、「各医療施設で、直近の期間Ｙ日間に、インフルエンザ検査において陽性が検出された件数を求める」である。
【００７６】
ステップＳ１０５ａ，Ｓ１０５ｂは、図３Ａのステップ５に対応する。情報処理部５５は、疾患種別がインフルエンザであることに基づいて、疾患テーブル６１を参照し、疾患種別６１ａ「インフルエンザ」に対応する施設アラーム基準６１ｃとして基準（Ｂ）を取得する。基準（Ｂ）は、例えば、２つの基準を含む。一つ目の基準は、ステップＳ１０５ａの「直近の１日間の陽性検出数が５件以上」であり、２つ目の基準は、ステップＳ１０５ｂの「直近の２週間の陽性検出数が１０件以上」である。ある医療施設において、集計情報が示す疾患発生状況が、２つの基準の少なくともいずれか一方を満たす場合、その医療施設について、ステップＳ１０６のアラームフラグの生成が行われる。ステップＳ１０６は、図３ＡのステップＳ６に対応する。
【００７７】
ステップＳ１０７は、図３ＡのステップＳ７に対応する。情報処理部５５は、疾患種別がインフルエンザであることに基づいて、疾患テーブル６１を参照し、疾患種別６１ａ「インフルエンザ」に対応する通知条件６１ｅとして条件（Ａ）を取得する。条件（Ａ）としては、例えば、施設アラーム情報の通知の要否が設定される。
【００７８】
ステップＳ１０８は、図３ＡのステップＳ８に対応する。情報処理部５５が、条件（Ａ）に基づいて、施設アラームの情報の通知が要であると判定した場合、通知部５７が、施設アラーム情報を通知する。通知に際して、情報処理部５５は、疾患種別がインフルエンザであり、かつ、アラーム情報の種類が施設アラーム情報であることに基づいて、疾患テーブル６１を参照し、インフルエンザの施設アラーム情報のための通知方法１６８として、方法（ａ）を取得する。方法（ａ）は、例えば、図４ＡのステップＳ１０８に記載されている内容の設定である。通知部５７は、取得した方法（ａ）に従って、施設アラーム情報を通知する。すなわち、通知部５７は、管轄エリア内の各医療施設にメール等で施設アラーム情報を通知し、Ｗｅｂ上のマップに施設アラーム情報を表示する。
【００７９】
図５Ａは、図４ＡのステップＳ１０８における「Ｗｅｂ上のマップに施設アラーム情報を表示」の例を示している。図５Ａに示すように、Ｗｅｂ画面４００に表示される施設アラーム情報は、医療施設の疾患発生状況に関する地図情報６００を含む。地図情報６００は、情報処理装置１０による管轄エリア５００を示す地図と、管轄エリア５００内の医療施設の位置を示す情報を含む。画面４００に表示される地図情報６００において、管轄エリア５００内は、インフルエンザについての大エリア区分である市区町村によって区分されている。表示される管轄エリア５００は小エリア区分によって区分されていてもよい。
【００８０】
図５Ａにおいて丸印は医療施設を示す。白丸は、施設アラーム情報が生成されていない医療施設を示し、黒丸は、施設アラーム情報が生成された医療施設を示す。地図中に医療施設が示されていることで、施設アラーム情報が生成された医療施設の位置を視覚的に把握することができる。
【００８１】
Ｗｅｂサーバとして機能する通知部５７は、図５Ａに示すように、図４ＡのステップＳ１０８の通知処理によって、施設アラーム情報が生成された医療施設が黒丸（色は特に限定されない）によって視覚的に示される。医療施設を施設アラーム情報の有無で区別して表示することで、管轄エリア５００内におけるインフルエンザ発生状況を容易に把握できる。
【００８２】
図５Ａに示す表示は、インフルエンザ以外の疾患のための施設アラーム情報の表示にも用いられる。
【００８３】
［６．１．２  インフルエンザの小エリアアラーム］
図４Ｂは、インフルエンザのための小エリアアラーム生成処理５５ｂを示している。ステップＳ１０９は、図３ＢのステップＳ９に対応する。情報処理部５５は、疾患種別がインフルエンザであることに基づいて、疾患テーブル６１を参照し、疾患種別６１ａ「インフルエンザ」に対応する小エリア区分１６１として校区を選択する。
【００８４】
ステップＳ１１０は、図３ＢのステップＳ１０に対応する。情報処理部５５は、アラームフラグが立っている医療施設の数を校区毎にモニタする。
【００８５】
ステップＳ１１１は、図３ＢのステップＳ１１に対応する。情報処理部５５は、疾患種別がインフルエンザであることに基づいて、疾患テーブル６１を参照し、選択された校区に応じて設定された小エリアアラーム基準１６２として、基準（Ｃ）を取得する。基準（Ｃ）は、例えば、「直近の２週間のアラームフラグの件数が３件以上」である。
【００８６】
ステップＳ１１２は、図３ＢのステップＳ１２に対応する。ある校区のアラームフラグの件数が基準（Ｃ）を満たすと、情報処理部５５は、その校区に応じた小エリアアラーム情報を生成する。
【００８７】
ステップＳ１１３は、図３ＢのステップＳ１３に対応する。通知部５７は、小エリアアラーム情報を通知する。通知に際して、情報処理部５５は、疾患種別がインフルエンザであり、かつアラーム情報の種類が小エリアアラーム情報であることに基づいて、疾患テーブル６１を参照し、インフルエンザの小エリアアラーム情報のための通知方法１６９として、方法（ｂ）を取得する。方法（ｂ）は、例えば、図４ＢのステップＳ１１３に記載されている内容の設定である。通知部５７は、取得された方法（ｂ）に従って、小エリアアラーム情報を通知する。すなわち、通知部５７は、当該校区内でインフルエンザが広がっていることを示す情報を、該当校区内の学校および医療施設にメール等で注意報として通知し、該当校区以外に位置する各医療機関にもメール等で連絡する。また、通知部５７は、当該校区を示すエリアをＷｅｂ上のマップに表示する。
【００８８】
図５Ｂは、図４ＢのステップＳ１１３における「Ｗｅｂ上のマップに小エリアアラーム情報（該当校区に横線付与）を表示」の例を示している。図５Ｂに示すように、小エリアアラーム情報が通知されると、Ｗｅｂ画面４００においては、小エリアアラーム情報が生成された校区５１０，５２０を示す表示となる。図５Ｂでは、校区５１０，５２０に横線が付与されている。小エリアアラーム情報が生成された校区５１０，５２０を、小エリアアラーム情報が生成されていない区域と区別して表示することで、管轄エリア５００内におけるインフルエンザの発生状況を容易に把握できる。すなわち、インフルエンザが広がっている範囲をより正確に把握することができる。特に、小エリア区分が校区であれば、図５Ｂの表示は、学校にとって有用である。
【００８９】
Ｗｅｂ画面４００において、小エリアアラーム情報が生成された校区５１０，５２０を表示する場合、図５Ｃに示すように、施設アラーム情報を示す黒丸を表示することなく、小エリアアラーム情報だけを表示してもよい。
【００９０】
図５Ｂ、図５Ｃに示す表示は、インフルエンザ以外の疾患のための施設アラーム情報の表示にも用いられる。
【００９１】
［６．１．３  インフルエンザの大エリアアラーム］
図４Ｃは、インフルエンザのための大エリアアラーム生成処理５５ｃを示している。ステップ１１４は、図３ＣのステップＳ１４に対応する。情報処理部５５は、疾患種別がインフルエンザであることに基づいて、疾患テーブル６１を参照し、疾患種別６１ａ「インフルエンザ」に対応する大エリア区分１６３として市区町村を選択する。
【００９２】
ステップＳ１１５は、図３ＣのステップＳ１５に対応する。情報処理部５５は、小エリアアラーム情報が生成された校区の件数を、市区町村毎にモニタする。
【００９３】
ステップＳ１１６は、図３ＣのステップＳ１６に対応する。情報処理部５５は、疾患種別がインフルエンザであることに基づいて、疾患テーブル６１を参照し、選択された市区町村に応じて設定された大エリアアラーム基準として、基準（Ｄ）を取得する。基準（Ｄ）は、例えば、「直近の２週間の小エリアアラーム情報の件数が３件以上」である。
【００９４】
ステップＳ１１７は、図３ＣのステップＳ１７に対応する。ある市における小エリアアラーム情報の件数が基準（Ｄ）を満たすと、情報処理部５５は、その市に応じた大エリアアラーム情報を生成する。
【００９５】
ステップＳ１１８は、図３ＣのステップＳ１８に対応する。通知部５７は、大エリアアラーム情報を通知する。通知に際して、情報処理部５５は、疾患種別がインフルエンザであり、かつアラーム情報の種類が大エリアアラーム情報であることに基づいて、疾患テーブル６１を参照し、インフルエンザの大エリアアラーム情報のための通知方法１７０として、方法（ｃ）を取得する。方法（ｃ）は、例えば、図４ＣのステップＳ１１８に記載されている内容の設定である。通知部５７は、取得された方法（ｂ）に従って、大エリアアラーム情報を通知する。すなわち、通知部５７は、当該市区町村でインフルエンザが広がっていることを示す情報を、該当市区町村内の学校にメール等で注意報として通知し、管轄エリア内の各医療施設にもメール等で通知する。また、通知部５７は、当該市区町村を示すエリアをＷｅｂ上のマップに表示する。
【００９６】
図５Ｄは、図４ＣのステップＳ１１８における「Ｗｅｂ上のマップに大エリアアラーム情報（該当市区町村に斜線付与）を表示」の例を示している。図５Ｄに示すように、大エリアアラーム情報が通知されると、Ｗｅｂ画面４００においては、大エリアアラーム情報が生成された市５５０を示す表示となる。図５Ｄでは、市５５０に斜線が付与されている。大エリアアラーム情報が生成された市５５０を、大エリアアラーム情報が生成されていない区域と区別して表示することで、管轄エリア５００内におけるインフルエンザの発生状況を容易に把握できる。すなわち、インフルエンザが広がっている範囲をより正確に把握することができる。特に、大エリア区分が市区町村であれば、図５Ｄの表示は、その市区町村内の学校等の施設にとって有用である。
【００９７】
図５Ｄの画面４００では、小エリアアラーム情報と大エリアアラーム情報とが共に表示されるため、市内におけるどの校区でインフルエンザが発生しているかを容易に把握することができる。
【００９８】
Ｗｅｂ画面４００において、大エリアアラーム情報が生成された市５５０を表示する場合、図５Ｅに示すように、施設アラーム情報を示す黒丸を表示することなく、小エリアアラーム情報及び大エリアアラーム情報だけを表示してもよい。
【００９９】
図５Ｄ，５Ｅに示す表示は、インフルエンザ以外の疾患のための施設アラーム情報の表示にも用いられる。
【０１００】
［６．２  風疹］
図６Ａは、風疹のための施設アラーム生成処理５５ａを示している。ステップＳ２０４からステップＳ２０８は、それぞれ、図３ＡのステップＳ４からステップＳ８に対応する。風疹においては、施設アラーム基準は、例えば、ステップＳ２０５に示すように「直近の１ヶ月の陽性検出数が１件以上」である。
【０１０１】
風疹の施設アラーム情報の通知方法は、例えば、図６ＡのステップＳ２０８に記載されているとおりである。アラーム情報の通知方法は、疾患種別毎に異なる設定が可能であるため、疾患種別に応じて適切な通知方法を設定できる。
【０１０２】
図６Ｂは、風疹のための小エリアアラーム生成処理５５ｂを示している。ステップＳ２０９からＳ２１３は、それぞれ、図３ＢのステップＳ９からステップＳ１３に対応する。風疹においては、小エリア区分としては、例えば、ステップＳ２０９に示すように「産婦人科近傍」が選択される。
【０１０３】
風疹においては、小エリアアラーム基準は、例えば、ステップＳ２１１に示すように「直近の１ヶ月のアラームフラグの件数が１件以上」である。
【０１０４】
風疹の小エリアアラーム情報の通知方法は、例えば、図６ＢのステップＳ２１３に記載されているとおりである。風疹に関しては、陽性検出数が１件以上で、管轄エリア内の各産婦人科に警報を通知するため、大エリアアラーム情報の生成は不要であるが、風疹についても大エリアアラーム情報の生成を行っても良い。
【０１０５】
ここでは、図６Ａ及び図６Ｂについて説明していない点については、図４Ａ及び図４Ｂの説明における「インフルエンザ」を「風疹」に読み替えたものを、図６Ａ及び図６Ｂの説明として援用する。
【０１０６】
［６．３  デング熱］
図７Ａは、デング熱のための施設アラーム生成処理５５ａを示している。ステップＳ３０４からステップＳ２０８は、それぞれ、それぞれ、図３ＡのステップＳ４からステップＳ８に対応する。なお、ステップＳ３０５ａ及びステップＳ３０５ｂが図３ＡのステップＳ５に対応する。
【０１０７】
デング熱に関する施設アラーム基準は、例えば、２つの基準を含む。一つ目の基準は、ステップＳ３０５ａの「直近の１日間の陽性検出数が５件以上」であり、２つ目の基準は、ステップＳ３０５ｂの「直近の２週間の陽性検出数が２０件以上」である。ある医療施設において、集計情報が示す疾患発生状況が、２つの基準の少なくともいずれか一方を満たす場合、その医療施設についてアラームフラグの生成が行われる。
【０１０８】
デング熱の施設アラーム情報の通知方法は、例えば、図７ＡのステップＳ３０８に記載されているとおりである。
【０１０９】
図７Ｂは、デング熱のための小エリアアラーム生成処理５５ｂを示している。ステップＳ３０９からＳ３１３は、それぞれ、図３ＢのステップＳ９からステップＳ１３に対応する。デング熱においては、小エリア区分としては、例えば、ステップＳ３０９に示すように市区町村が選択される。
【０１１０】
デング熱においては、小エリアアラーム基準は、例えば、ステップ３１１に示すように「直近の２週間のアラームフラグの件数が１件以上」である。
【０１１１】
デング熱の小エリアアラーム情報の通知方法は、例えば、図７ＢのステップＳ３１３に記載されているとおりである。
【０１１２】
図７Ｃは、デング熱のための大エリアアラーム生成処理５５ｃを示している。ステップＳ３１４からステップＳ３１８は、それぞれ、図３ＣのステップＳ１４からステップＳ１８に対応する。
【０１１３】
デング熱においては、小エリア区分としては、例えば、ステップＳ３１４に示すように、「地方」が選択される。デング熱においては、大エリアアラーム基準は、例えば、ステップＳ３１６に示すように、「直近の２週間の小エリアアラーム情報の件数が３件以上」である。デング熱の大エリアアラーム情報の通知方法は、例えば、図７ＣのステップＳ３１８に記載されているとおりである。すなわち、該当地方の学校にメール等で警報が通知され、管轄エリア内の各医療施設にメール等で警報が通知され、Ｗｅｂ上のマップに当該地方を示すエリアが表示される。
【０１１４】
ここでは、図７Ａ、図７Ｂ及び図７Ｃについて説明していない点については、図４Ａ、図４Ｂ及び図４Ｃの「インフルエンザ」を「デング熱」に読み替えたものを、図７Ａ、図７Ｂ及び図７Ｃの説明として援用する。
【０１１５】
［６．４  薬剤耐性菌］
図８Ａは、薬剤耐性菌による感染症のための施設アラーム生成処理５５ａを示している。ステップＳ４０４からステップＳ４０８は、それぞれ、それぞれ、図３ＡのステップＳ４からステップＳ８に対応する。なお、ステップＳ４０５ａからステップＳ４０５ｃが図３ＡのステップＳ３に対応する。
【０１１６】
薬剤耐性菌の出現を検知するには、治療した結果だけではなく、経過情報を含めた治療情報が疾患情報として用いられる。ステップＳ４０４では、図２Ｃに示す黄色ブドウ球菌に関する治療経過の集計情報がモニタされる。
【０１１７】
薬剤耐性菌に関する施設アラーム基準は、例えば、３つの基準を含む。一つ目の基準は、ステップＳ４０５ａの「投薬回数が基準値以上」であり、２つ目の基準は、ステップＳ４０５ｂの「治療期間が基準値以上」であり、３つ目の基準は、ステップＳ４０５ｃの「検査結果は陽性」でる。ある医療施設において、集計情報が示す疾患発生状況が、３つの基準の全てを満たす場合、その医療施設についてアラームフラグの生成が行われる。
【０１１８】
薬剤耐性菌の施設アラーム情報の通知方法は、例えば、図８ＡのステップＳ４０８に記載されているとおりである。
【０１１９】
図８Ｂは、薬剤耐性菌のための小エリアアラーム生成処理５５ｂを示している。ステップＳ４０９からＳ４１３は、それぞれ、図３ＢのステップＳ９からステップＳ１３に対応する。薬剤耐性菌においては、小エリア区分としては、例えば、ステップＳ４０９に示すように市区町村が選択される。
【０１２０】
薬剤耐性菌においては、小エリアアラーム基準は、例えば、ステップ４１１に示すように「直近の１ヶ月のアラームフラグの件数が５件以上」である。
【０１２１】
薬剤耐性菌の小エリアアラーム情報の通知方法は、例えば、図８ＢのステップＳ４１３に記載されているとおりである。すなわち、管轄エリア内の各医療施設にメール等で注意報が通知され、該当市区町村内の学校、老人ホームおよびケアハウスに注意報が通知され、Ｗｅｂ上のマップに当該市区町村を示すエリアが表示される。
【０１２２】
図８Ｃは、薬剤耐性菌のための大エリアアラーム生成処理５５ｃを示している。ステップＳ４１４からステップＳ４１８は、それぞれ、図３ＣのステップＳ１４からステップＳ１８に対応する。
【０１２３】
薬剤耐性菌においては、大エリア区分としては、例えば、ステップＳ４１４に示すように、「地方」が選択される。大エリアアラーム基準は、例えば、ステップＳ４１６に示すように、「直近の１ヶ月の小エリアアラーム情報の件数が３件以上」である。薬剤耐性菌の大エリアアラーム情報の通知方法は、例えば、図８ＣのステップＳ４１８に記載されているとおりである。
【０１２４】
ここでは、図８Ａ、図８Ｂ及び図８Ｃについて説明していない点については、図４Ａ、図４Ｂ及び図４Ｃの「インフルエンザ」を「薬剤耐熱性菌感染症」に読み替えたものを、図８Ａ、図８Ｂ及び図８Ｃの説明として援用する。
【０１２５】
なお、本実施形態では、情報処理部５５は、モニタ対象の疾患種別に基づいて、疾患テーブル６１を参照して、疾患種別に対応する施設アラーム基準、小エリア区分、大エリア区分、通知方法等を選択しているが、本発明はこれに限られない。たとえば、疾患種別のリスト（インフルエンザ、風疹等）、小エリア区分のリスト（校区、市区町村等）、通知方法のリストを入力装置を用いて記憶装置６０に予め登録しておき、疾患のモニタを開始する都度、ユーザが上記リストから特定の疾患種別、小エリア区分、通知方法等を入力装置を介して選択するようにしてもよい。
【符号の説明】
【０１２６】
１０  情報処理装置
５５  情報処理部
５７  通知部
６０  記憶装置
１００  情報処理システム
１３１  医療施設
１３２  医療施設
１３３  医療施設
１３４  医療施設
【図１Ａ】
2017199165.tif 000003
【図１Ｂ】
2017199165.tif 000004
【図１Ｃ】
2017199165.tif 000005
【図１Ｄ】
2017199165.tif 000006
【図１Ｅ】
2017199165.tif 000007
【図１Ｆ】
2017199165.tif 000008
【図１Ｇ】
2017199165.tif 000009
【図２Ａ】
2017199165.tif 000010
【図２Ｂ】
2017199165.tif 000011
【図２Ｃ】
2017199165.tif 000012
【図３Ａ】
2017199165.tif 000013
【図３Ｂ】
2017199165.tif 000014
【図３Ｃ】
2017199165.tif 000015
【図４Ａ】
2017199165.tif 000016
【図４Ｂ】
2017199165.tif 000017
【図４Ｃ】
2017199165.tif 000018
【図５Ａ】
2017199165.tif 000019
【図５Ｂ】
2017199165.tif 000020
【図５Ｃ】
2017199165.tif 000021
【図５Ｄ】
2017199165.tif 000022
【図５Ｅ】
2017199165.tif 000023
【図６Ａ】
2017199165.tif 000024
【図６Ｂ】
2017199165.tif 000025
【図７Ａ】
2017199165.tif 000026
【図７Ｂ】
2017199165.tif 000027
【図７Ｃ】
2017199165.tif 000028
【図８Ａ】
2017199165.tif 000029
【図８Ｂ】
2017199165.tif 000030
【図８Ｃ】
2017199165.tif 000031